(57)【要約】【課題】従来のＥＴＷＳでは配信できなかったゲートウェイ配下の基地局へ報知情報を配信する。【解決手段】情報配信システム１０は、情報配信サーバ３０と、自局の配下の複数の基地局６３，６４への経路情報４２を保持するゲートウェイ４０とを備える。情報配信サーバ３０は、ゲートウェイ４０に接続するためのインタフェース３２と、複数の基地局６３，６４の何れかへの報知情報をゲートウェイ４０を介して配信する配信モジュール３１とを備える。【選択図】図１
2014175720.tif 000002
【特許請求の範囲】
【請求項１】
情報配信サーバと、自局の配下の複数の基地局への経路情報を保持するゲートウェイを備える情報配信システムであって、
前記情報配信サーバは、前記ゲートウェイに接続するためのインタフェースと、前記複数の基地局の何れかへの報知情報を前記ゲートウェイを介して配信する配信モジュールとを備える、情報配信システム。
【請求項２】
情報配信サーバと、自局の配下の複数の基地局への経路情報を保持するゲートウェイとを備える情報配信システムを通じて報知情報を配信する方法であって、
前記情報配信サーバが前記ゲートウェイへの接続を確立するステップと、
前記情報配信サーバが前記複数の基地局の何れかへの報知情報を前記ゲートウェイを介して配信するステップを備える方法。
【発明の詳細な説明】
【技術分野】
【０００１】
本発明は報知情報を配信するためのシステム及び方法に関する。
【背景技術】
【０００２】
移動通信システムの標準化団体である３ＧＰＰ（3rd Generation Partnership Project）で仕様が策定されているＥＴＷＳ（Earthquake and Tsunami Warning System）は、移動通信システムのブロードキャスト（同報）チャネルを利用して、地震や津波等の災害に関する緊急警報情報を可及的速やかに移動機（ユーザ端末）に通知するシステムである。このようなＥＴＷＳでは、「地震発生」や「津波発生」といった最も急を要する緊急警報情報を、第１報（Primary Notification）として移動機に同報配信した後、緊急警報情報では伝えきれない補足的な続報情報を、第２報（Secondary Notification）として移動機に同報配信する（非特許文献１，２参照）。これにより、差し迫った災害を示す緊急警報情報は理論上最も小さい遅延時間で配信可能としつつ、災害発生後にユーザにとって有益な情報であって緊急警報情報よりも情報量の多い続報情報も配信可能としている。
【先行技術文献】
【非特許文献】
【０００３】
【非特許文献１】TS25.419 V8.1.0 (9.1.3 WRITE-REPLACE)
【非特許文献２】TS36.413 V8.10.0 (8.12.1 Write-Replace Warning)
【発明の概要】
【発明が解決しようとする課題】
【０００４】
しかし、従来のＥＴＷＳでは、アーキテクチャの仕様により、ＨｅＮＢゲートウェイを介したＨｅＮＢシステムでは、基地局に報知情報をセルＩＤにより配信することができないという不都合が生じていた。この点について、図２を参照しながら説明する。同図は、従来の情報配信システム１００のネットワーク構成を示している。ＣＢＥ（Cell Broadcast Entity）２０は、地震や津波等の災害を観測する気象庁の設備であり、例えば、地震の初期微動であるＰ波を検知すると、地震を検知したエリアに在圏している各移動機７０に地震が迫っていることを知らせる緊急情報の一斉配信を情報配信サーバ３００に要求する。情報配信サーバ３００は、ＣＢＣ（Cell Broadcast Center）と呼ばれており、緊急情報配信の要求を受けると、配信要求で指定されているエリアの各基地局６１，６２，６３，６４へ緊急情報を配信する。情報配信サーバ３００から各基地局６１，６２，６３，６４へ至る経路には、ゲートウェイ４００や交換機５０が配置されている。
【０００５】
交換機５０は、自局の配下の基地局６１，６２及びゲートウェイ４００へ緊急情報をルーティングするための経路情報を保持しているが、ゲートウェイ４０配下の基地局６３，６４へ緊急情報をルーティングするための経路情報を保持していない。このため、交換機５０から見て、ゲートウェイ４００及びその配下の基地局６３，６４は、一つのノード８０として認識される。ここで、基地局６１，６２，６３，６４及びゲートウェイ４００のセルＩＤをそれぞれ「Ａ」，「Ｂ」，「Ｃ」，「Ｄ」，「Ｅ」とすると、情報配信先のセルＩＤとして、「Ａ」，「Ｂ」，「Ｅ」が指定されている場合は、交換機５０は、緊急情報の配信先を認識できるため、ルーティングを行うことができる。一方、情報配信先のセルＩＤとして、「Ｃ」，「Ｄ」が指定されている場合は、交換機５０は、緊急情報の配信先を認識できないため、ルーティングを行うことができない。このような理由により、情報配信サーバ３００は、ゲートウェイ４００配下の基地局６３，６４へ緊急情報を配信することができない。
【０００６】
そこで、本発明は、このような問題を解決し、ゲートウェイ配下の基地局に報知情報を配信することを課題とする。
【課題を解決するための手段】
【０００７】
上記の課題を解決するため、本発明に係わる情報配信システムは、情報配信サーバと自局の配下の複数の基地局への経路情報を保持するゲートウェイとを備える。情報配信サーバは、ゲートウェイに接続するためのインタフェースと、複数の基地局の何れかへの報知情報を、ゲートウェイを介して配信する配信モジュールとを備える。情報配信サーバとゲートウェイとを接続するインタフェースを新規に設けることにより、従来のＥＴＷＳでは報知情報を配信することのできなかったゲートウェイ配下の一部の基地局へ報知情報を配信することが可能となる。
【発明の効果】
【０００８】
本発明によれば、ゲートウェイ配下の基地局に報知情報を配信することができる。
【図面の簡単な説明】
【０００９】
【図１】本実施形態に係わる情報配信システムのネットワーク構成図である。
【図２】従来の情報配信システムのネットワーク構成図である。
【発明を実施するための形態】
【００１０】
以下、図面を参照しながら本発明の実施形態について説明する。
図１は本実施形態に係わる情報配信システム１０のネットワーク構成を示す。図２に示すノードと同じノードについては同一の符号を示すものとし、重複する説明を省略する。情報配信システム１０は、ＬＴＥ（Long Term Evolution）ベースのネットワークアーキテクチャを採用しており、基地局６１，６２は、ｅＮＢ（eNodeB）と呼ばれ、基地局６３，６４は、ＨｅＮＢ（Home eNodeB）と呼ばれている。基地局６１，６２，６３，６４は、セルサイズがマクロセルより小さいことに由来して、例えばフェムトセル基地局と呼ばれることもある。交換機５０は、ＭＭＥ(Mobility Management Entity)と呼ばれており、移動機７０のハンドオーバーやローミングをサポートする。移動機７０は、例えば、スマートフォン等の携帯電話機であり、ＵＥ（User Equipment）と呼ばれている。また、ゲートウェイ４０は、ＨｅＮＢ ＧＷ（Home eNodeB Gateway）と呼ばれる。交換機５０と基地局６１，６２との間、交換機５０とゲートウェイ４０との間、及びゲートウェイ４０と基地局６３，６４との間は、それぞれ、Ｓ１インタフェースと呼ばれる有線の通信路を介して接続されている。また、情報配信サーバ３０と交換機５０との間は、ＳＢｃインタフェースと呼ばれる有線の通信路を介して接続されている。
【００１１】
情報配信サーバ３０及びゲートウェイ４０は、それぞれ両者間の接続を確立するためのインタフェース３２，４１を備えている。情報配信サーバ３０とゲートウェイ４０との間は、例えば、ＳＢｃインタフェースと呼ばれる有線の通信路を介して接続してもよい。このように従来のＥＴＷＳでは、接続されていなかった情報配信サーバ３０とゲートウェイ４０との間を新規に接続することにより、情報配信サーバ３０から交換機５０だけでなくゲートウェイ４０にも報知情報の配信を直接要求すること可能になる。情報配信サーバ３０は、ゲートウェイ４０配下の複数の基地局６３，６４の何れかへの報知情報をゲートウェイ４０を介して配信する配信モジュール３１を備えている。配信モジュール３１からゲートウェイ４０への報知情報の配信要求メッセージとして、例えば、Write-Replace Warning Request Messageが用いられる。配信ジュール３１は、例えば、複数のサブルーチンとデータ構造とを含むソフトウェアモジュールである。
【００１２】
ゲートウェイ４０は、自局の配下の基地局６３，６４へ報知情報をルーティングするための経路情報（例えば、ルーティングテーブル）４２と、宛先として指定された基地局６３，６４へ報知情報を配信するための配信モジュール４３とを備えている。配信モジュール４３は、例えば、セル単位、トラッキングエリア単位、又はエマージェンシーエリア単位で報知情報をルーティングすることも可能である。情報配信先のセルＩＤとして、「Ｃ」，「Ｄ」が指定されている場合は、配信モジュール４３は、経路情報４２に基づいて報知情報を基地局６３，６４に配信する。
【００１３】
本実施形態によれば、情報配信サーバ３０は、ゲートウェイ４０に接続するためのインタフェース３２を備えているため、ゲートウェイ４０配下の基地局６３，６４へ漏れなく報知情報を配信することができる。また、情報配信サーバ３０は、基地局単位できめ細かく報知情報を配信できため、災害の発生地や規模等に応じて異なるエリアに属する基地局に異なる報知情報を配信することも可能となる。
【符号の説明】
【００１４】
１０…情報配信システム
２０…ＣＢＥ
３０…情報配信サーバ
３１…配信モジュール
３２…インタフェース
４０…ゲートウェイ
４１…インタフェース
４２…経路情報
４３…配信モジュール
５０…交換機
６１，６２，６３，６４…基地局
７０…移動機
【図１】
2014175720.tif 000003
【図２】
2014175720.tif 000004
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
ＣＢＣ（Cell Broadcast Center）と、自局の配下の複数のｅＮＢ（eNodeB）への経路情報を保持するＨｅＮＢ ＧＷ（Home eNodeB Gateway）とを備えるＥＴＷＳ（Earthquake and Tsunami Warning System）であって、
前記ＣＢＣは、前記ＨｅＮＢ ＧＷに接続するためのＳＢｃインタフェースと、前記複数のｅＮＢの何れかへの報知情報を前記ＨｅＮＢ ＧＷを介して配信する配信モジュールとを備える、ＥＴＷＳ。
【請求項２】
ＣＢＣ（Cell Broadcast Center）と、自局の配下の複数のｅＮＢ（eNodeB）への経路情報を保持するＨｅＮＢ ＧＷ（Home eNodeB Gateway）とを備えるＥＴＷＳ（Earthquake and Tsunami Warning System）を通じて報知情報を配信する方法であって、
前記ＣＢＣがＳＢｃインタフェースを介して前記ＨｅＮＢ ＧＷへの接続を確立するステップと、
前記ＣＢＣが前記複数のｅＮＢの何れかへの報知情報を前記ＨｅＮＢ ＧＷを介して配信するステップとを備える方法。
【手続補正２】
【補正対象書類名】明細書
【補正対象項目名】０００６
【補正方法】変更
【補正の内容】
【０００６】
そこで、本発明は、このような問題を解決し、ＨｅＮＢ ＧＷ配下のｅＮＢに報知情報を配信することを課題とする。
【手続補正３】
【補正対象書類名】明細書
【補正対象項目名】０００７
【補正方法】変更
【補正の内容】
【０００７】
上記の課題を解決するため、本発明に係わるＥＴＷＳ（Earthquake and Tsunami Warning System）は、ＣＢＣ（Cell Broadcast Center）と自局の配下の複数のｅＮＢ（eNodeB）への経路情報を保持するＨｅＮＢ ＧＷ（Home eNodeB Gateway）とを備える。ＣＢＣは、ＨｅＮＢ ＧＷに接続するためのＳＢｃインタフェースと、複数のｅＮＢの何れかへの報知情報を、ＨｅＮＢ ＧＷを介して配信する配信モジュールとを備える。ＣＢＣとＨｅＮＢ ＧＷとを接続するＳＢｃインタフェースを新規に設けることにより、従来のＥＴＷＳでは報知情報を配信することのできなかったＨｅＮＢ ＧＷ配下の一部のｅＮＢへ報知情報を配信することが可能となる。
【手続補正４】
【補正対象書類名】明細書
【補正対象項目名】０００８
【補正方法】変更
【補正の内容】
【０００８】
本発明によれば、ＨｅＮＢ ＧＷ配下のｅＮＢに報知情報を配信することができる。